(57)【特許請求の範囲】
【請求項１】
撮像装置を備え、互いに異なる第１及び第２表示部に画像を表示可能であると共に該第１及び第２表示部の両方がタッチスクリーンを備え且つ使用状態で同じ方向から見ることのできるデュアルディスプレイ方式とした通信端末機のディスプレイ制御方法であって、
前記撮像装置の捉えているリアルタイム画像を前記第１表示部に表示すると共にユーザによる撮像命令に応じて保存した画像を前記第２表示部に表示する段階と、
前記第２表示部に表示されている画像を選択して前記第１表示部の方へドラッグするユーザの操作に応じて、該選択画像を前記第１表示部に表示する段階と、
を含み、
前記ユーザによるドラッグ操作は、前記第２表示部で画像を選択したユーザの指又はスタイラスペンが該第２表示部を離れた後、所定時間内に前記第１表示部に接触する操作であることを特徴とする通信端末機のディスプレイ制御方法。
【請求項２】
撮像装置を備え、互いに異なる第１及び第２表示部に画像を表示可能であると共にその第２表示部にタッチスクリーンを備え且つ前記第１及び第２表示部が使用状態で同じ方向から見ることのできるデュアルディスプレイ方式とした通信端末機のディスプレイ制御方法であって、
前記撮像装置の捉えているリアルタイム画像を前記第１表示部に表示すると共にユーザによる撮像命令に応じて保存した画像を前記第２表示部に表示する段階と、
前記第２表示部に表示されている画像を選択して前記第１表示部の方へドラッグするユーザの操作に応じて、該選択画像を前記第１表示部に表示する段階と、
を含み、
前記ユーザによるドラッグ操作は、前記第２表示部で画像を選択したユーザの指又はスタイラスペンの接触位置が、前記第１表示部の方へ制限時間内に又は所定時間持続して所定の距離だけ移動する操作であることを特徴とする通信端末機のディスプレイ制御方法。
【請求項３】
撮像装置を備え、互いに異なる第１及び第２表示部に画像を表示可能であると共に該第１及び第２表示部の両方がタッチスクリーンを備え且つ使用状態で同じ方向から見ることのできるデュアルディスプレイ方式とした通信端末機のディスプレイ制御方法であって、
（ａ）前記撮像装置が捉えているリアルタイム画像を前記第１表示部に表示する過程と、
（ｂ）ユーザによる撮像命令に応じて前記リアルタイム画像をメモリに保存する過程と、
（ｃ）前記保存した画像を前記第２表示部に表示し、該第２表示部に表示されている画像を選択して前記第１表示部の方へドラッグするユーザの操作に応じて、該選択画像を前記第１表示部に表示する過程と、
を含み、
前記（ｃ）過程におけるユーザのドラッグ操作は、前記第２表示部で画像を選択したユーザの指又はスタイラスペンが該第２表示部を離れた後、所定時間内に前記第１表示部に接触する操作であることを特徴とする通信端末機のディスプレイ制御方法。
【請求項４】
撮像装置を備え、互いに異なる第１及び第２表示部に画像を表示可能であると共にその第２表示部にタッチスクリーンを備え且つ前記第１及び第２表示部が使用状態で同じ方向から見ることのできるデュアルディスプレイ方式とした通信端末機のディスプレイ制御方法であって、
（ａ）前記撮像装置が捉えているリアルタイム画像を前記第１表示部に表示する過程と、
（ｂ）ユーザによる撮像命令に応じて前記リアルタイム画像をメモリに保存する過程と、
（ｃ）前記保存した画像を前記第２表示部に表示し、該第２表示部に表示されている画像を選択して前記第１表示部の方へドラッグするユーザの操作に応じて、該選択画像を前記第１表示部に表示する過程と、
を含み、
前記（ｃ）過程におけるユーザのドラッグ操作は、前記第２表示部で画像を選択したユーザの指又はスタイラスペンの接触位置が、前記第１表示部の方へ制限時間内に又は所定時間持続して所定の距離だけ移動する操作であることを特徴とする通信端末機のディスプレイ制御方法。
【請求項５】
（ｄ）前記第２表示部に表示した画像を編集する過程をさらに含み、
該（ｄ）過程は、前記第２表示部に表示した画像がユーザにより選択され、該選択画像が、当該第２表示部に表示した所定機能のアイコンに対してドラッグアンドドロップされると、該ドラッグアンドドロップされたアイコンに割り当てられている機能を実行することを特徴とする請求項３又は請求項４記載の通信端末機のディスプレイ制御方法。
【請求項６】
撮像装置を備え、互いに異なる第１及び第２表示部に画像を表示可能であると共に該第１及び第２表示部の両方がタッチスクリーンを備え且つ使用状態で同じ方向から見ることのできるデュアルディスプレイ方式とした通信端末機であって、
ユーザからの各種入力を受けるためのキー入力部と、
前記撮像装置が捉えているリアルタイム画像を前記第１表示部に表示し、前記キー入力部から撮影命令が入力されると前記リアルタイム画像を保存し前記第２表示部に表示する制御を実行する制御部と、
を含んで構成され、
前記制御部は、前記第２表示部に表示されている画像を選択して前記第１表示部の方へドラッグするユーザの操作に応じて、該選択画像を前記第１表示部に表示する制御を実行し、
当該ユーザによるドラッグ操作は、前記第２表示部で画像を選択したユーザの指又はスタイラスペンが該第２表示部を離れた後、所定時間内に前記第１表示部に接触する操作であることを特徴とする通信端末機。
【請求項７】
撮像装置を備え、互いに異なる第１及び第２表示部に画像を表示可能であると共にその第２表示部にタッチスクリーンを備え且つ前記第１及び第２表示部が使用状態で同じ方向から見ることのできるデュアルディスプレイ方式とした通信端末機であって、
ユーザからの各種入力を受けるためのキー入力部と、
前記撮像装置が捉えているリアルタイム画像を前記第１表示部に表示し、前記キー入力部から撮影命令が入力されると前記リアルタイム画像を保存し前記第２表示部に表示する制御を実行する制御部と、
を含んで構成され、
前記制御部は、前記第２表示部に表示されている画像を選択して前記第１表示部の方へドラッグするユーザの操作に応じて、該選択画像を前記第１表示部に表示する制御を実行し、
当該ユーザによるドラッグ操作は、前記第２表示部で画像を選択したユーザの指又はスタイラスペンの接触位置が、前記第１表示部の方へ制限時間内に又は所定時間持続して所定の距離だけ移動する操作であることを特徴とする通信端末機。
【請求項８】
前記制御部は、前記第２表示部に表示した画像がユーザにより選択され、該選択画像が、当該第２表示部に表示した所定機能のアイコンに対してドラッグアンドドロップされると、該ドラッグアンドドロップされたアイコンに割り当てられている機能を実行することを特徴とする請求項６又は請求項７記載の通信端末機。
【請求項９】
撮像装置を備え、互いに異なる第１及び第２表示部に画像を表示可能であると共に該第１及び第２表示部の両方がタッチスクリーンを備え且つ使用状態で同じ方向から見ることのできるデュアルディスプレイ方式とした通信端末機のディスプレイ制御方法であって、
前記撮像装置の捉えているリアルタイム画像を前記第１表示部に表示すると共にユーザによる撮像命令に応じて保存した画像を前記第２表示部に表示し、
前記保存画像は、設定されたオプションに従って前記第２表示部にサムネイル表示され、そして、該第２表示部に表示されている画像を選択して前記第１表示部の方へドラッグするユーザの操作に応じて、該選択画像を前記第１表示部に表示し、
当該ユーザによるドラッグ操作は、前記第２表示部で画像を選択したユーザの指又はスタイラスペンが該第２表示部を離れた後、所定時間内に前記第１表示部に接触する操作である
ことを特徴とする通信端末機のディスプレイ制御方法。
【請求項１０】
撮像装置を備え、互いに異なる第１及び第２表示部に画像を表示可能であると共にその第２表示部にタッチスクリーンを備え且つ前記第１及び第２表示部が使用状態で同じ方向から見ることのできるデュアルディスプレイ方式とした通信端末機のディスプレイ制御方法であって、
前記撮像装置の捉えているリアルタイム画像を前記第１表示部に表示すると共にユーザによる撮像命令に応じて保存した画像を前記第２表示部に表示し、
前記保存画像は、設定されたオプションに従って前記第２表示部にサムネイル表示され、そして、該第２表示部に表示されている画像を選択して前記第１表示部の方へドラッグするユーザの操作に応じて、該選択画像を前記第１表示部に表示し、
当該ユーザによるドラッグ操作は、前記第２表示部で画像を選択したユーザの指又はスタイラスペンの接触位置が、前記第１表示部の方へ制限時間内に又は所定時間持続して所定の距離だけ移動する操作である
ことを特徴とする通信端末機のディスプレイ制御方法。
【発明の詳細な説明】
【技術分野】
【０００１】
本発明は、デュアルディスプレイを備えた撮像機能付きの通信端末機、特に、移動通信（移動体通信）端末機（mobile  communication terminal）に係るもので、そのディスプレイ制御技術に関する。
【背景技術】
【０００２】
最近、移動通信及び情報産業技術の飛躍的な発展によって、特に携帯電話機に代表される通信端末機は、一つのディスプレイを備えたものから二つのディスプレイを備えたものへ比重が移りつつある。二つのディスプレイを備える形態は多様であり得るが、現在広く市販されているのは、大型画面のメインディスプレイと小型画面のサブディスプレイとを備える形態である。この場合のサブディスプレイは、小型故、日付、時間、短いテキスト等の簡単な情報しか表示し得ず、サイズの大きい画像情報などは表示できない。
【０００３】
最近の通信端末機は、デジタルカメラに匹敵する撮像機能を搭載して高解像度をサポートするようになっている。そして、高解像度の画像を処理し得るプロセッサを搭載し、画像の多様な管理のために、メインディスプレイがより大型化してきている。加えて、最近の通信端末機は、静止画像や動画像等のマルチメディアデータを自由自在に取り扱える各機能が続々と搭載されている実情である。
【発明の開示】
【発明が解決しようとする課題】
【０００４】
従来における撮像装置を備えた通信端末機では、撮像装置が現在捉えているリアルタイム画像（ビューファインダ表示）と、撮像して（シャッタを切って）保存した保存画像（記録画像表示）と、を同時にディスプレイに表示することができないため、撮像した画像を確認したい時にはメニューで表示を切り換えなければならない。この点は、たとえメインとサブの二つのディスプレイを備えていたとしても同じことである。
【０００５】
また、今までの撮像装置を備えた通信端末機では、撮像等で内部メモリやメモリカード等に保存されている保存画像を編集しているときに、その編集中の編集画像を原画の保存画像（原画像）と比較したいと思った場合、ディスプレイに表示されている編集画像を一時的に保存して、そして原画像を読み出してディスプレイに表示する必要がある。これは、サブディスプレイを備えていたとしても同じことである。従って、通信端末機における画像の表示、編集等の機能について、ユーザにとってより便利なように改善する余地が残されている。
【課題を解決するための手段】
【０００６】
本発明は、上記課題に鑑みてなされたもので、撮像装置を備えたデュアルディスプレイ式の通信端末機について、撮像装置が現在捉えているリアルタイム画像と、撮像等により端末機内（内部メモリやメモリカード等）に保存されている保存画像と、をそれぞれ異なるディスプレイに表示することができるようにする。
【０００７】
また、デュアルディスプレイ式の通信端末機について、撮像等で端末機内に保存されている保存画像と、該保存画像を編集している最中の編集画像（修飾、拡大、縮小等）と、をそれぞれ異なるディスプレイに表示することができるようにする。
【０００８】
さらに、デュアルディスプレイ式の通信端末機について、その一方もしくは両方のディスプレイにタッチスクリーン機能をもたせてユーザインタフェースを提供できるようにし、画像の表示や編集を便利にし得るようにする。これにより、従来のキーパッド方式の入力装置に代わるより便利なユーザインタフェースが提供され、多様かつ迅速な情報の取得、画面の移動、異なる画面における異なる情報処理等がユーザに提供される。
【０００９】
本発明の特徴が不明確にならないように、デュアルディスプレイに付随するデバイスや他の機能の詳細についてここでは省くが、本発明に係るデュアルディスプレイ式の通信端末機に含まれ得ることは、当業者なら類推することができる。
【００１０】
以後、端末機という用語は、移動（移動体）通信網を含め有線無線インタフェースを通じて通信を行う多様な通信端末機を含む。実例としては、モバイルステーション、ＵＥ、ハンドセット（子機）、ＰＤＡ等があり、また、ＣＣＤカメラに代表されるデジタルカメラの機能だけではなく、他のタイプの撮像装置が撮像モードでリアルタイム画像を提供するために使われる。
【００１１】
本発明に係る通信端末機のディスプレイ制御方法は、撮像装置を備え、互いに異なる第１及び第２表示部に画像を表示可能であると共に該第１及び第２表示部の両方がタッチスクリーンを備え且つ使用状態で同じ方向から見ることのできるデュアルディスプレイ方式とした通信端末機のディスプレイ制御方法であって、前記撮像装置の捉えているリアルタイム画像を前記第１表示部に表示すると共にユーザによる撮像命令に応じて保存した画像を前記第２表示部に表示する段階と、前記第２表示部に表示されている画像を選択して前記第１表示部の方へドラッグするユーザの操作に応じて、該選択画像を前記第１表示部に表示する段階と、を含み、前記ユーザによるドラッグ操作は、前記第２表示部で画像を選択したユーザの指又はスタイラスペンが該第２表示部を離れた後、所定時間内に前記第１表示部に接触する操作であることを特徴とする。
また、本発明に係る通信端末機のディスプレイ制御方法は、撮像装置を備え、互いに異なる第１及び第２表示部に画像を表示可能であると共にその第２表示部にタッチスクリーンを備え且つ前記第１及び第２表示部が使用状態で同じ方向から見ることのできるデュアルディスプレイ方式とした通信端末機のディスプレイ制御方法であって、前記撮像装置の捉えているリアルタイム画像を前記第１表示部に表示すると共にユーザによる撮像命令に応じて保存した画像を前記第２表示部に表示する段階と、前記第２表示部に表示されている画像を選択して前記第１表示部の方へドラッグするユーザの操作に応じて、該選択画像を前記第１表示部に表示する段階と、を含み、前記ユーザによるドラッグ操作は、前記第２表示部で画像を選択したユーザの指又はスタイラスペンの接触位置が、前記第１表示部の方へ制限時間内に又は所定時間持続して所定の距離だけ移動する操作であることを特徴とする。
【００１２】
あるいは、本発明に係る通信端末機のディスプレイ制御方法は、撮像装置を備え、互いに異なる第１及び第２表示部に画像を表示可能であると共に該第１及び第２表示部の両方がタッチスクリーンを備え且つ使用状態で同じ方向から見ることのできるデュアルディスプレイ方式とした通信端末機のディスプレイ制御方法であって、（ａ）前記撮像装置が捉えているリアルタイム画像を前記第１表示部に表示する過程と、（ｂ）ユーザによる撮像命令に応じて前記リアルタイム画像をメモリに保存する過程と、（ｃ）前記保存した画像を前記第２表示部に表示し、該第２表示部に表示されている画像を選択して前記第１表示部の方へドラッグするユーザの操作に応じて、該選択画像を前記第１表示部に表示する過程と、を含み、前記（ｃ）過程におけるユーザのドラッグ操作は、前記第２表示部で画像を選択したユーザの指又はスタイラスペンが該第２表示部を離れた後、所定時間内に前記第１表示部に接触する操作であることを特徴とする。
また、本発明に係る通信端末機のディスプレイ制御方法は、撮像装置を備え、互いに異なる第１及び第２表示部に画像を表示可能であると共にその第２表示部にタッチスクリーンを備え且つ前記第１及び第２表示部が使用状態で同じ方向から見ることのできるデュアルディスプレイ方式とした通信端末機のディスプレイ制御方法であって、（ａ）前記撮像装置が捉えているリアルタイム画像を前記第１表示部に表示する過程と、（ｂ）ユーザによる撮像命令に応じて前記リアルタイム画像をメモリに保存する過程と、（ｃ）前記保存した画像を前記第２表示部に表示し、該第２表示部に表示されている画像を選択して前記第１表示部の方へドラッグするユーザの操作に応じて、該選択画像を前記第１表示部に表示する過程と、を含み、前記（ｃ）過程におけるユーザのドラッグ操作は、前記第２表示部で画像を選択したユーザの指又はスタイラスペンの接触位置が、前記第１表示部の方へ制限時間内に又は所定時間持続して所定の距離だけ移動する操作であることを特徴とする。
【００１３】
あるいは、本発明に係る通信端末機のディスプレイ制御方法は、撮像装置を備え、互いに異なる第１及び第２表示部に画像を表示可能であると共に該第１及び第２表示部の両方がタッチスクリーンを備え且つ使用状態で同じ方向から見ることのできるデュアルディスプレイ方式とした通信端末機のディスプレイ制御方法であって、前記撮像装置の捉えているリアルタイム画像を前記第１表示部に表示すると共にユーザによる撮像命令に応じて保存した画像を前記第２表示部に表示し、前記保存画像は、設定されたオプションに従って前記第２表示部にサムネイル表示され、そして、該第２表示部に表示されている画像を選択して前記第１表示部の方へドラッグするユーザの操作に応じて、該選択画像を前記第１表示部に表示し、当該ユーザによるドラッグ操作は、前記第２表示部で画像を選択したユーザの指又はスタイラスペンが該第２表示部を離れた後、所定時間内に前記第１表示部に接触する操作であることを特徴とする。
また、本発明に係る通信端末機のディスプレイ制御方法は、撮像装置を備え、互いに異なる第１及び第２表示部に画像を表示可能であると共にその第２表示部にタッチスクリーンを備え且つ前記第１及び第２表示部が使用状態で同じ方向から見ることのできるデュアルディスプレイ方式とした通信端末機のディスプレイ制御方法であって、前記撮像装置の捉えているリアルタイム画像を前記第１表示部に表示すると共にユーザによる撮像命令に応じて保存した画像を前記第２表示部に表示し、前記保存画像は、設定されたオプションに従って前記第２表示部にサムネイル表示され、そして、該第２表示部に表示されている画像を選択して前記第１表示部の方へドラッグするユーザの操作に応じて、該選択画像を前記第１表示部に表示し、当該ユーザによるドラッグ操作は、前記第２表示部で画像を選択したユーザの指又はスタイラスペンの接触位置が、前記第１表示部の方へ制限時間内に又は所定時間持続して所定の距離だけ移動する操作であることを特徴とする。
【００１４】
あるいは、本発明に係る通信端末機は、撮像装置を備え、互いに異なる第１及び第２表示部に画像を表示可能であると共に該第１及び第２表示部の両方がタッチスクリーンを備え且つ使用状態で同じ方向から見ることのできるデュアルディスプレイ方式とした通信端末機であって、ユーザからの各種入力を受けるためのキー入力部と、前記撮像装置が捉えているリアルタイム画像を前記第１表示部に表示し、前記キー入力部から撮影命令が入力されると前記リアルタイム画像を保存し前記第２表示部に表示する制御を実行する制御部と、を含んで構成され、前記制御部は、前記第２表示部に表示されている画像を選択して前記第１表示部の方へドラッグするユーザの操作に応じて、該選択画像を前記第１表示部に表示する制御を実行し、当該ユーザによるドラッグ操作は、前記第２表示部で画像を選択したユーザの指又はスタイラスペンが該第２表示部を離れた後、所定時間内に前記第１表示部に接触する操作であることを特徴とする。
また、本発明に係る通信端末機は、撮像装置を備え、互いに異なる第１及び第２表示部に画像を表示可能であると共にその第２表示部にタッチスクリーンを備え且つ前記第１及び第２表示部が使用状態で同じ方向から見ることのできるデュアルディスプレイ方式とした通信端末機であって、ユーザからの各種入力を受けるためのキー入力部と、前記撮像装置が捉えているリアルタイム画像を前記第１表示部に表示し、前記キー入力部から撮影命令が入力されると前記リアルタイム画像を保存し前記第２表示部に表示する制御を実行する制御部と、を含んで構成され、前記制御部は、前記第２表示部に表示されている画像を選択して前記第１表示部の方へドラッグするユーザの操作に応じて、該選択画像を前記第１表示部に表示する制御を実行し、当該ユーザによるドラッグ操作は、前記第２表示部で画像を選択したユーザの指又はスタイラスペンの接触位置が、前記第１表示部の方へ制限時間内に又は所定時間持続して所定の距離だけ移動する操作であることを特徴とする。
【発明の効果】
【００１５】
第一に、本発明によると、カメラプレビュー（ビューファインダ）と、撮像して保存された画像と、をそれぞれ異なるディスプレイに表示することで、シャッタチャンスを監視しながら且つ最新画像を確認することができて、ユーザに利便性と楽しさを提供し得るという効果がある。
【００１６】
第二に、本発明によると、原画像の表示と、原画像の編集表示と、をそれぞれ別のディスプレイに表示することで、ユーザは、原画像と比較しながら編集を行い得るという効果がある。
【００１７】
第三に、本発明によると、ディスプレイにユーザインタフェースとしてタッチスクリーンを装着することで、キー入力装置を利用しなくても画像を便利に編集あるいは表示し得るという効果がある。
【発明を実施するための最良の形態】
【００１８】
ここに記載する一態様では、撮像装置を備え、第１表示部及び第２表示部をもつデュアルディスプレイ式の通信端末機において、撮像モードのときに、撮像装置が現在捉えているリアルタイム画像を第１表示部に表示すると同時に、端末機内に保存されている保存画像を第２表示部に表示することを特徴とする。
【００１９】
また、編集モードのときには、第１の表示部に少なくとも一つの保存画像を表示し（サムネイル表示等）、該第１の表示部に表示した画像の選択があった場合には、該選択画像を第２の表示部に表示することを特徴とする。そして、選択画像を第２の表示部に表示したときには、第１の表示部に所定機能の編集アイコンを表示し、該アイコンの選択があった場合に、該選択アイコンに割り当ててある機能を実行することを特徴とする。
【００２０】
ここに記載する通信端末機のディスプレイ制御方法は、撮像装置の捉えているリアルタイム画像を第１表示部に表示する段階と、ユーザによる撮像命令に応じて前記リアルタイム画像を保存する段階と、前記第１表示部に前記リアルタイム画像を表示し且つ第２表示部に前記保存した画像を表示する段階と、を含んで構成されることを特徴とする。
【００２１】
また、ここに記載する通信端末機は、いずれか一方又は両方がタッチスクリーンとされた第１表示部及び第２表示部を少なくとも備え、前記第１表示部には、撮像装置の捉えているリアルタイム画像を表示し、前記第２表示部には、画像の編集を行えるように、１以上の保存画像を表示できるようになっていることを特徴とする。
【００２２】
あるいは、ここに記載する通信端末機は、第１表示部と、第２表示部と、撮像装置と、画像を保存するためのメモリと、前記各表示部、前記撮像装置及び前記メモリを制御するプロセッサと、を含んで構成され、前記プロセッサは、撮像モードにおいて、前記撮像装置が捉えているリアルタイム画像を前記第１表示部に表示すると共に前記メモリの保存画像を前記第２表示部に表示し、編集モードにおいて、前記メモリの保存画像を前記第２表示部に表示し、該表示中の前記保存画像が選択されると画像編集のためのアイコンを前記第１表示部又は前記第２表示部に表示することを特徴とする。
【００２３】
あるいはまた、ここに記載する通信端末機は、使用状態で同じ方向から見ることのできる複数の表示部と、第１の画像と第２の画像とをそれぞれ別の前記表示部に表示し、ユーザが前記第１の画像と前記第２の画像との関連を参照しながら前記第１の画像又は前記第２の画像を処理できるように制御するプロセッサと、を含んで構成されることを特徴とする。この場合、前記第１の画像が撮像装置に捉えられているリアルタイム画像で、前記第２の画像がメモリに保存されている画像とすることができる。あるいは、前記第１の画像が編集前の原画像で、前記第２の画像が前記原画像編集後の編集画像とすることができる。
【００２４】
さらに、ここに記載する通信端末機は、使用状態で同じ方向から見ることのできる二つの表示部と、撮像装置と、画像を保存するメモリと、前記表示部、前記撮像装置、前記メモリを制御するプロセッサと、を含んで構成され、前記プロセッサは、前記撮像装置の捉えているリアルタイム画像を前記表示部の一方に表示すると共に前記メモリの保存画像を前記表示部の他方に表示し、前記表示部のいずれかに表示したメニューからタッチスクリーンにより選択可能なオプションに従って、前記表示部の他方に表示した前記保存画像のいずれかを、前記各表示部で参照しながら編集できるように表示制御することを特徴とする。
【００２５】
ここに記載する一態様として、撮像装置を備え、第１表示部及び第２表示部をもつデュアルディスプレイ式通信端末機の撮像モードにおけるディスプレイ制御方法は、（Ａ）前記第１表示部に前記撮像装置が捉えているリアルタイム画像を表示する過程と、（Ｂ）ユーザによる撮像命令（シャッタ入力）に従って前記リアルタイム画像をメモリに保存する過程と、（Ｃ）前記メモリの保存画像を前記第２表示部に表示する過程と、を含むことを特徴とする。
【００２６】
前記（Ｃ）過程は、前記（Ｂ）過程の保存画像のサムネイル表示か、または最新の保存画像の表示かを選択できることが好ましい。
【００２７】
ここに記載する別の態様として、第１の表示部及び第２の表示部をもつデュアルディスプレイ式通信端末機の編集モードにおけるディスプレイ制御方法は、（Ｄ）前記第１の表示部に少なくとも一つの画像を表示する過程と、（Ｅ）前記第１の表示部に表示した画像の何れかをユーザにより選択させる過程と、（Ｆ）前記選択画像を前記第２の表示部に表示する過程と、（Ｇ）前記第１の表示部に所定の編集機能のアイコンを表示してユーザに選択させる過程と、（Ｈ）前記選択アイコンに割り当てられた機能を実行する過程と、を含むことを特徴とする。
【００２８】
前記第１及び第２の表示部の少なくとも一つは、ユーザインタフェースとしてタッチスクリーンを備え、前記（Ｅ）過程及び前記（Ｇ）過程は、前記タッチスクリーンにより行われることが好ましい。また、前記アイコンは、画像加工アイコンで、該アイコンの選択で、前記選択画像を加工し得る各種のツールを表示することが好ましい。あるいは、前記アイコンは、画像拡大アイコンで、該アイコンの選択で、前記選択画像を拡大して表示することが好ましい。
【００２９】
第１の表示部及び第２の表示部をもつデュアルディスプレイ式通信端末機の編集モードにおける別の態様のディスプレイ制御方法は、（Ｄ）タッチスクリーンを備えた第１の表示部に少なくとも一つの画像を表示する過程と、（Ｅ）前記第１の表示部に表示した画像のいずれかが選択され且つ当該第１の表示部に表示した所定機能のアイコンにドラッグアンドドロップされる過程と、（Ｆ）前記選択画像を前記第２の表示部に表示する過程と、（Ｇ）前記ドラッグアンドドロップされたアイコンに割り当てられた機能を実行する過程と、を含む。
【００３０】
ここで、前記（Ｆ）過程は、前記画像が選択され次第実行するか、または前記画像が前記アイコンにドラッグアンドドロップされ次第実行することが好ましい。
【００３１】
ここに記載するさらに他の態様として、通信端末機は、撮像装置と、ユーザからの各種入力を受けるためのキー入力部と、前記撮像装置が捉えているリアルタイム画像を表示するための第１の制御信号、前記キー入力部から撮影命令が入力されると前記リアルタイム画像を保存し表示するための第２の制御信号を出力する制御部と、前記第１の制御信号に従って前記リアルタイム画像を表示する第１表示部と、前記第２の制御信号に従って前記保存画像を表示する第２表示部と、を含むことを特徴とする。
【００３２】
あるいは、通信端末機は、少なくとも一つの画像を表示する第１の表示部と、該第１の表示部に表示した画像のいずれかが選択されると、該選択画像を表示するための第１制御信号を出力する制御部と、その第１制御信号に従って前記選択画像を表示する第２の表示部と、を含むことを特徴とする。ここで、前記制御部は、前記第１の表示部に所定機能のアイコンを表示し、該アイコンのいずれかが選択された場合、当該選択アイコンに割り当てられた機能を実行するための第２制御信号を出力することが好ましい。
【００３３】
前記各表示部の少なくとも一つは、ユーザインタフェースとしてタッチスクリーンを備えることが好ましい。
【００３４】
前記アイコンは、画像加工アイコンで、前記第２制御信号は、前記選択画像を加工し得る各種のツールを前記第１の表示部に提供し、ユーザによる前記ツールの選択に応じて前記選択画像を加工するためのものであることが好ましい。あるいは、前記アイコンは、画像拡大アイコンで、前記第２制御信号は、前記第１の表示部にポインタを表示し、ユーザ操作による該ポインタの移動によって、前記ポインタの指示位置部分を所定の倍率で拡大した画像を前記第２の表示部に表示するためのものであることが好ましい。
【００３５】
ここに記載するさらに他の態様として、通信端末機は、少なくとも一つの画像を表示する第１の表示部と、該第１の表示部に表示された画像の何れか一つが選択され且つ前記第１の表示部に表示した所定機能のアイコンにドラッグアンドドロップされた場合、該選択画像を表示するための第１制御信号、前記ドラッグアンドドロップされたアイコンに割り当てられた機能を実行するための第２制御信号を出力する制御部と、前記第１制御信号に従って前記選択画像を表示する第２の表示部と、を含むことを特徴とする。
【００３６】
以下、添付図面を参照して本発明の好ましい実施形態について詳細に説明する。本発明の前述した目的、各特徴及び長所は、添付図面及び以下の詳細な説明によりさらに明らかになるであろう。明細書の全体にわたって同一の参照番号は、同一の構成要素を示す。また、本発明に関する公知の機能あるいは構成に対する具体的な説明が本発明の要旨を不明確にすると判断される場合、その詳細な説明は省略する。
【００３７】
図１Ａは、本発明の好ましい実施形態による通信端末機において、撮像モードを実行する場合のフローチャートである。
【００３８】
本発明による通信端末機は、撮像装置（たとえばＣＣＤカメラ）を備え、各種の情報を表示するための第１表示部及び第２表示部をもつデュアルディスプレイ式である。その第１表示部及び第２表示部は同程度の大きさの画面とされ、少なくとも一つは、ユーザインタフェースとしてタッチスクリーンを備えることが好ましい。
【００３９】
フローチャートでは、まず、撮像装置が現在捉えているリアルタイム画像（つまりビューファインダ）を少なくとも第１表示部に表示する［Ｓ１００（ａ）］。即ち、第１表示部で、または第１表示部と第２表示部とで被写体をプレビューすることができる。次いで、ユーザによりシャッタボタンが押されることでシャッタを切り（ユーザによる撮像命令入力）、そのときのリアルタイム画像を静止画として取得し［Ｓ１１０（ａ）］、当該画像を内部メモリに保存する［Ｓ１２０（ａ）］。すなわちユーザは、通信端末機に備えられたシャッタボタンを押して撮像することができ、そのシャッタボタンは、通信端末機のキーボードボタンやホットボタン、あるいは、タッチスクリーンとした第２表示部（又は第１表示部）の該当箇所をシャッタボタン表示として押すようにしてもよい。撮像した画像は、ユーザの選択に応じて、通信端末機に差し込まれたメモリカード等に保存することもできる。
【００４０】
続いて、上記ステップで保存した保存画像を第２表示部に表示する［Ｓ１３０（ａ）］。ここでは、ユーザが予め設定するか、またはデフォルトに設定されたオプションに応じて、保存画像を撮影時間順にサムネイル表示するか、または、最新画像のみを表示することができる。
【００４１】
図１Ｂは、本発明の好ましい実施形態によるデュアルディスプレイを備えた通信端末機において、保存画像に対する編集モードを実行する場合のフローチャートである。
【００４２】
本実施形態の通信端末機においては、各種の情報を表示するための第１表示部及び第２表示部が同程度の大きさの画面として備えられている。これら第１表示部及び第２表示部の少なくとも一つは、ユーザインタフェースとしてタッチスクリーンを備えることが好ましい。
【００４３】
フローチャートでは、まず第２表示部に、少なくとも一つの保存画像を表示する［Ｓ１００（ｂ）］。この画像表示過程は一般的なもので、本発明の特徴が当該画像表示過程にあるわけではないため、これについての詳細な説明は省略する。ただし、第２表示部への画像表示は、一つずつ画像を表示するような形態（シングルフレーム方式）も可能であるが、より好ましくは、複数の画像をサムネイル表示するほうが好ましい。あるいは、スライドショー方式も可能である。ここで表示する保存画像は、メモリカード等のリムーバブル媒体に保存されてあったもの、当該端末機の撮像装置により撮像したもの、無線通信モジュールを通じて受信したもの（ムービーファイル、ストリーミングビデオファイルなどのキャプチャ画像等）であり得る。
【００４４】
次いで、第２表示部に表示した画像の何れか一つが選択されると［Ｓ１１０（ｂ）］、該選択画像を第１表示部に表示する［Ｓ１２０（ｂ）］。この第２表示部における画像の選択は、第２表示部に備えられたタッチスクリーン機能により行われることが好ましい。タッチスクリーンによれば、ユーザは、指やスタイラスペンを利用して直接的に画像を指示して選択することができる。もちろん、端末機に備えられたキー入力部等、他のユーザ入力装置により画像を選択することもできる。
【００４５】
第２表示部で画像を選択して第１表示部に表示する具体的な手法は多様であり得る。具体的な例を挙げると、次の通りである。
【００４６】
（１）ユーザが指やスタイラスペンを利用して、第２表示部で画像を選択すると共に第１表示部の方へドラッグすると、第１表示部にその選択画像を表示する。この場合に、第１表示部と第２表示部とが物理的に離れていれば、選択操作した指やスタイラスペンが第２表示部から離れた後、所定時間内に第１表示部に接触すると、選択画像を第１表示部へ表示する命令として端末機制御部（プロセッサ）で認識することができる。この例では、第１表示部及び第２表示部の両方がタッチスクリーンを備える。
【００４７】
（２）画像を選択した指やスタイラスペンの接触が第２表示部において所定距離以上持続したときに、これもドラッグ操作として、選択画像を第１表示部に表示する。即ち、タッチスクリーンとした第２表示部の画面において、選択画像の表示位置に指やスタイラスペンが接触し、該接触位置が第１表示部の方向へ制限時間内に（あるいは所定時間持続して）所定の距離だけ移動した場合に、当該選択画像を第１表示部に表示する。このときには、第２表示部だけがタッチスクリーンを備えれていればよい。移動を判断する時間は、ユーザの設定とすることができる。
【００４８】
（３）画像を選択した指やスタイラスペンの接触が第２表示部において所定圧力以上で維持されたときに、選択画像を第１表示部に表示する。即ち、タッチスクリーンとした第２表示部の画面において、選択画像の表示位置に指やスタイラスペンが接触し、該接触が所定の圧力以上で所定の時間維持された場合に、当該選択画像を第１表示部に表示する。このときには、第２表示部だけがタッチスクリーンを備えていればよい。接触圧の判定時間は、ユーザの設定とすることができる。
【００４９】
（４）第２表示部に表示された画像に対し、指やスタイラスペンで一回あるいは所定の時間差で２回以上接触する（ダブルクリック）と、当該選択画像を第１表示部に表示する。
【００５０】
第１表示部に選択画像を表示した後は、第２表示部に所定機能のアイコンを表示し［Ｓ１３０（ｂ）］、このアイコンのいずれかが選択されると、当該選択アイコンに割り当てられている機能を実行する［Ｓ１４０（ｂ）］。アイコンの選択は、画像の選択と同様に、第２表示部のタッチスクリーンにより行うものとすることができる。
【００５１】
以下、本発明による通信端末機で実行可能な２種類のモード、撮像モードと編集モードについて詳細に説明する。
【００５２】
まず、本発明の撮像モードを説明した図２は、第２表示部に最新撮像画像を表示する通信端末機を例示した図である。ここでは、第１表示部が端末機の上側に、第２表示部が端末機の下側に位置すると仮定する。なお、通信端末機における第１表示部及び第２表示部の位置関係は、多様であり得る。
【００５３】
通信端末機の撮像モードにおいて、第１表示部では、撮像装置が現在捉えているリアルタイム画像を表示するカメラプレビュー（ビューファインダ）を実行する（２００）。次いで、ユーザによりシャッタが切られると、そのときに撮像装置が捉えている画像が保存され、第２表示部に表示される（２１０）。そして、第１表示部はカメラプレビューに戻り（２２０）、該カメラプレビューからユーザがさらにシャッタを切ると、第２表示部は、これにより新しく撮像された画像（保存画像）を表示する（２３０）。継いで第１表示部は、カメラプレビューに戻る（２４０）。
【００５４】
このように通信端末機が動作するので、ユーザは、第１表示部でリアルタイム画像を見ながらシャッタチャンスを窺うことができ、且つ第２表示部では、直前に撮像した画像を確認することができる。
【００５５】
図３は、撮像モードにおいて、第１表示部にはカメラプレビュー、第２表示部には、撮像した画像をサムネイル表示する例を示す図である。第１表示部及び第２表示部に対する仮定は、前記同様である。
【００５６】
図２の例と同様にしてカメラプレビュー３００からユーザがシャッタを切ると、これにより撮像された画像は、本例の場合、サムネイルで第２表示部に表示される（３１０）。次いで、第１表示部はカメラプレビューに戻り（３２０）、ユーザがさらに撮像を行うと、これにより新しく撮像された画像は、その前の撮像画像と並べられて第２表示部にサムネイル表示される（３３０）。
【００５７】
このような過程を繰り返すと（３４０、３５０、３６０）、ユーザは、第１表示部のビューファインダでリアルタイム画像を見ながらシャッタチャンスを窺うことができ、且つ第２表示部で、撮像した複数の画像をまとめて確認することができる。
【００５８】
本発明の編集モードを説明した図４は、カメラプレビューと保存画像とをデュアルディスプレイする例を示す図である。この例は、上記実施形態の撮像モード時に、第２表示部に表示した各画像を管理する編集モードを含ませたもので、その詳細な特徴は、次の通りである。
【００５９】
まず、第２表示部に表示された保存画像の少なくとも一つが選択される［４００］。図示のようにサムネイル表示されている場合には、表示されている画像を複数選択することもできる。一方、上述した最新画像単独表示の場合には、現在表示中の画像だけが選択対象となる。
【００６０】
このときの画像選択方法は、多様であり得る。サムネイル表示の例で説明すると、第２表示部に備えられたタッチスクリーン（あるいはタッチパッド）において、ユーザが指やスタイラスペンを接触させて一つ以上の画像を選択することができる。その他には、端末機に備えられたキー入力部等、タッチスクリーン以外のユーザ入力装置によって画像選択を行うこともできる。
【００６１】
画像が選択されると、画像管理の項目をのせたメニューを第２表示部に表示する［４１０］。当該メニューは、選択画像を他のフォルダに保存する機能、選択画像を削除する機能、選択画像を転送する機能などの多様な処理を提供することができる。画像の転送は、移動通信網を介して他の端末機へ転送する他、有線無線インタフェースを介して他の機器へ画像を送る処理も含む。このための有線インタフェースとしては、ＵＳＢケーブルや他のデータ伝送ラインを用いるものが代表例としてあげられ、無線インタフェースとしては、ワイファイ（Ｗｉ−Ｆｉ）、ワイマックス（Ｗｉ−ＭＡＸ）、ワイブロ（Ｗｉ−ＢＲＯ）、無線ブロードバンド接続（wireless broadband connection）が代表例である。
【００６２】
継いで、メニュー中で指定された処理項目に従って、該当機能を実行する。本例の場合はメニューから削除が指定され、これに従って選択画像を削除している［４２０］。
【００６３】
なお、ステップ４１０のメニュー表示のときに、その選択画像を第１表示部に表示する制御としてもよい。
【００６４】
編集モードに使われるアイコン及びこれに割り当てられる機能は、画像拡大、縮小も含めて多様であり得る。このようなアイコン及びこれに割り当てる機能の詳細な特徴を説明すると、次の通りである。
【００６５】
（１）画像加工機能
画像加工アイコンの選択で実行される機能で、各種ツールを使用してユーザが画像を多様に加工し得る機能である。
【００６６】
図５に、画像加工機能の実行例を示す。まず、画像加工アイコンが選択されると、各種画像加工のツールを第１表示部（又は第２表示部）に表示し［Ｓ５００］、その中でユーザにより選択されたツールによって、画像編集を実行する［Ｓ５１０］。次いで、編集後の編集画像を保存するかどうかユーザに選択させ［Ｓ５２０］、保存の場合は、編集画像を内部メモリやメモリカードに保存する［Ｓ５３０］。
【００６７】
図６は、編集モードにおける通信端末機の画面例を示す図である。たとえば、撮像モードで第１表示部にはカメラプレビューが表示され、第２表示部には、撮像した三つの画像がサムネイル表示されているとする（６００）。その第２表示部において画像が選択されると、該選択画像が第１表示部に表示され、第２表示部には各種機能のアイコンが表示される（６１０）。このとき第２表示部には、画像加工アイコン６１１及びアイコンを選択するためのポインタ６１３が表示され、ユーザは、指やスタイラスペンを利用して第２表示部のタッチスクリーンに接触することで、ポインタ６１３を移動させアイコンを選択することができる（タッチによる直接選択も可）。選択画像を表示し、その加工を実行する第１表示部では（６２０）、コピー、ペースト、ペン等の各種の画像加工ツールが表示され得る（図示せず）。これにより、第２表示部に表示されている原画の保存画像を見ながら、第１表示部において当該画像を加工することができる。
【００６８】
（２）画像拡大機能
画像拡大アイコンの選択で実行される機能で、たとえば画像の一部を拡大して表示する機能である。
【００６９】
図７に、画像拡大機能の実行例を示す。まず、第２表示部に、タッチスクリーンやカーソル移動キーに従い移動するポインタを表示する［Ｓ７００］。そして、ユーザの操作に従いポインタを移動させ［Ｓ７１０］、移動後のポインタにより指示されている画像の部分を所定の倍率で拡大し、当該拡大画像を第１表示部に表示する［Ｓ７２０］。
【００７０】
図８は、編集モードにおける通信端末機の画面例である。たとえば、撮像モードで第１表示部にはカメラプレビューが表示され、第２表示部には、撮像した三つの画像がサムネイル表示されているとする（８００）。その第２表示部において画像が選択されると、該選択画像が第１表示部に表示され、第２表示部には各種機能のアイコンが表示される（８１０）。このとき第２表示部には、画像拡大アイコン８１１及びアイコンを選択するためのポインタ８１３が表示され、ユーザは、指やスタイラスペンを利用して第２表示部のタッチスクリーンに接触することで、ポインタ８１３を移動させアイコンを選択することができる（タッチによる直接選択も可）。画像拡大アイコン８１１が選択されると、画像の一部を選択するための領域枠が表示され、ポインタ８１３に従い移動させることができるようになる。拡大する部分が選択されると、当該部分を所定の倍率で拡大し、第１表示部に表示する（８２０）。
【００７１】
第１表示部に表示する拡大画像（編集画像）は、第２表示部のポインタ８１３の動きによってサイズ調節して表示することができる。サイズ調節の比率（本例では拡大率）は、第２表示部におけるポインタ８１３の移動前の位置と該ポインタ８１３の移動量により決定できる。たとえば、パソコン画面上でポインタを移動させて領域指定するときのようにして、サイズ調節の比率は、ポインタ８１３の移動前の位置から該ポインタ８１３がどの程度離れたかに応じて増減させることができる。
【００７２】
図９は、デュアルディスプレイを備えた通信端末機における編集モードの別の例を示したフローチャートである。
【００７３】
本例の通信端末機においても、上記実施形態と同様に、各種の情報を表示するための第１及び第２表示部を備えている。また、その第１表示部及び第２表示部の少なくとも一つは、ユーザインタフェースとしてタッチスクリーンを備えることが好ましい。
【００７４】
まず、第２表示部に、少なくとも一つの保存画像を表示する（たとえばサムネイル表示）［Ｓ９００］。このときの画像及び画像表示の詳細な特徴は、前述したのと同様である。次いで、第２表示部に表示した画像の何れか一つが選択されると［Ｓ９１０］、該選択画像を第１表示部に表示する［Ｓ９２０］。このときの画像選択に関する詳細な特徴は、前述したのと同様である。この第１表示部への表示過程［Ｓ９２０］は、画像が選択され次第行われる。
【００７５】
次いで、第２表示部において、選択画像が、当該第２表示部に表示されている所定機能のアイコンに対してドラッグアンドドロップされると［Ｓ９３０］、該ドラッグアンドドロップされたアイコンに割り当てられている機能を実行する［Ｓ９４０］。このアイコン及びこれに割り当てられた機能の詳細な特徴は、前述したものと同様である。ドラッグアンドドロップは、第２表示部に備えられたタッチスクリーンを利用して行うことができる。即ち、ユーザは、タッチスクリーンを備えた第２表示部の画面において、選択しようと思っている画像の上に指やスタイラスペンを接触させて（画像の選択）、該接触を維持した状態で、実行したい機能のアイコンに向けて指やスタイラスペンを移動させる。このときに選択画像（たとえばサムネイル表示）は、指やスタイラスペンの移動軌跡に沿って一緒に移動する。そして、目的のアイコン上で指やスタイラスペンを画面から離すと、当該接触解除された位置の機能アイコンが選択される（機能アイコンの選択）。
【００７６】
図１０は、デュアルディスプレイを備えた通信端末機における編集モードのさらに別の例を示したフローチャートである。
【００７７】
本例の通信端末機においては、上記実施形態と同様に、各種の情報を表示するための第１表示部及び第２表示部を備えている。また、その第１表示部及び第２表示部の少なくとも一つは、ユーザインタフェースとしてタッチスクリーンを備えることが好ましい。
【００７８】
まず、第２表示部に少なくとも一つの画像を表示する［Ｓ１０００］。このときの画像及び画像表示の詳細な特徴は、前述したものと同様ある。次いで、たとえばタッチスクリーンとした第２表示部に表示した画像の何れか一つがユーザにより選択され、当該第２表示部に表示されているアイコンのいずれかにドラッグアンドドロップされると［Ｓ１０１０］、当該選択画像を第１表示部に表示し［Ｓ１０２０］、且つ、ドラッグアンドドロップされたアイコンに割り当てられている機能を実行する［Ｓ１０３０］。これら画像の選択、アイコン及びその機能、ドラッグアンドドロップの詳細な特徴は、前述したものと同様である。ただし、本例の選択画面第１表示部表示過程［Ｓ１０２０］は、選択された画像がアイコンにドラッグアンドドロップされ次第行われる。
【００７９】
本発明に係るデュアルディスプレイ式通信端末機の実施形態について、図１１にブロック図で要部概略を示す。
【００８０】
当該通信端末機は、無線通信モジュール１１００、撮像装置としてのカメラ１１１０、キー入力部１１２０、制御部１１３０、第１表示部１１４０、第２表示部１１５０及びメモリ１１６０を含んで構成される。本実施形態の第１表示部１１４０及び第２表示部１１５０は、キー入力部１１２０とは別途のユーザインタフェースとして、タッチスクリーン１１４３，１１５３を備えている。なお、キー入力部１１２０は、ユーザから各種の命令信号を受けるための各種キーを備えた入力装置である。
【００８１】
第１表示部１１４０、第２表示部１１５０は、静止画や動画など少なくとも一つの画像を表示可能なものである。この各表示部に関する画像表示のための具体的な構成については、本発明の要旨から外れるため、説明を省略する。この第１表示部１１４０や第２表示部１１５０に表示する画像は、無線通信モジュール１１００を通じて受信したもの、カメラ１１１０で撮影したもの、あるいはこれら以外のルートでメモリ１１６０に保存されたもの、又は、リムーバブルメディアのメモリカードに保存されているもの、であり得る。
【００８２】
制御部１１３０は、撮像モードにおいて、カメラ１１１０が捉えているリアルタイム画像（カメラプレビュー）を表示するための第１制御信号を出力する。この第１制御信号に従って、第１表示部１１４０はリアルタイム画像を表示する（ビューファインダ機能）。
【００８３】
そして、制御部１１３０は、キー入力部１１２０に含まれたシャッタボタンが押された場合（撮影命令信号が発せられた場合）、カメラ１１１０のシャッタを切ってそのとき取り込んだ画像を表示するための第２制御信号を出力し、さらに、当該画像をメモリ１１６０（あるいはメモリカード）に保存するための第３制御信号を出力する。画像の保存は、ユーザの選択に応じて実施するようにでき、保存、撮り直しなどを選択できるようにしてあるとよい。第２表示部１１５０は、第２制御信号に従って該当画像を表示し、メモリ１１６０は、第３制御信号に従って撮像画像を保存する。
【００８４】
このときの第２制御信号は、ユーザ設定によるオプションに応じて、最新の撮像画像を表示するか、または、保存画像を撮影順にサムネイル表示するか、を選択実行するための情報を含んだ信号であり得る。
【００８５】
制御部１１３０は、第２表示部１１５０に表示した画像の少なくとも一つをユーザが選択して編集モードとなった場合、第２表示部１１５０において、画像編集のためのメニュー（あるいはアイコン）を表示することができる。このときの画像の選択は、第２タッチスクリーン１１５３により実行するようにできる。
【００８６】
制御部１１３０は、当該メニューにより提供した機能の何れか一つを選択する選択命令信号がユーザにより入力された場合、該当処理の実行を示す第４制御信号を出力する。この際の機能選択は、第２タッチスクリーン１１５３により実行するようにできる。また、選択される機能の詳細な特徴は、前述したものと同様である。そのうち、選択画像の転送は、無線通信モジュール１１００を通じて実行することができる。
【００８７】
編集モードを実行する場合の制御部１１３０は、第２表示部１１５０に保存画像を表示し、その何れか一つを選択する画像選択信号が入力されると、該選択画像を表示するための第５制御信号を出力する。画像の選択は第２表示部１１５０に備えた第２タッチスクリーン１１５３により実行することができて、その他の詳細な特徴は、前述同様である。もちろん、画像の選択をキー入力部１１２０により行うようにすることもできる。
【００８８】
このときの第１表示部１１４０は、第５制御信号に従って、選択画像を表示する。また、制御部１１３０は、第２表示部１１５０に所定機能のアイコンを表示し、該アイコンを選択する入力があると、該選択アイコンに割り当てられた機能を実行するための第６制御信号を出力することができる。機能アイコンの選択は、第２タッチスクリーン１１５３により実行することができて、当該アイコン及び機能の詳細な特徴は、前述同様である。拡大等を含めた編集後の画像は、メモリ１１６０に保存することができる。
【００８９】
第１表示部と第２表示部については、例えば、仮想キーパッド（virtual key pad）、仮想矢印アイコン（virtual arrow icon）などの他の表示機能を実現することも可能で、画像を変形させるための様々な機能に関連した表示を実行することができる。また、例えば、ＲＡＭ、ＲＯＭ、ＨＤＤ（ハードディスク）、フラッシュメモリ、ＧＲＡＭ（graphic random access memory）、ＳＧＲＡＭ（synchronous graphic random access memory）等の各種メモリ手段が、様々な画像データ［例：ＳＭＳ（Short Message Service）、ＭＭＳ（Multimedia Message Service）、Graphic message、ＤＭＢ（digital multimedia broadcasting）］を保存するために使用され得る。また、アイコンの選択は、視覚的、聴覚的あるいは触覚的な手法を用い、これらを併用してキー入力部１２２０により実行することもできる。
【００９０】
画像加工アイコンが選択された場合、第６制御信号は、選択画像を加工し得る各種のツールを第１表示部１１４０に表示し、ユーザによるツール選択に応じて選択画像を編集するための情報を含むものとなる。
【００９１】
画像拡大アイコンが選択されたときの第６制御信号は、ユーザの操作に従い移動するポインタを第２表示部１１５０に表示し、該ポインタによる指示部分画像を拡大して第１表示部１１４０に表示する情報を含むものとなる。
【００９２】
別の編集モードにおいては、まず第２表示部１１５０が、少なくとも一つの画像を表示する。該保存画像表示に関する詳細な特徴は、前述同様である。
【００９３】
制御部１１３０は、第２表示部１１５０に表示した画像の何れか一つが選択され、且つ該第２表示部１１５０に表示しているアイコンのいずれかにドラッグアンドドロップされた場合、当該選択画像を第１表示部１１４０に表示するための第７制御信号と、当該ドラッグアンドドロップされたアイコンに割り当てられた機能を実行するための第８制御信号と、を出力する。ドラッグアンドドロップ、アイコン及びこれに割り当てられた機能、その他の特徴は、前述同様のものであり、詳細は省略する。
【００９４】
なお、第７制御信号は、画像が選択され次第に該選択画像を第１表示部１１４０に表示するためのもの、あるいは、画像がアイコンにドラッグアンドドロップされ次第に該選択画像を第１表示部１１４０に表示するためのもの、などとすることができる。第１表示部１１４０は、第７制御信号に従って選択画像を表示する。
【００９５】
以上の各実施形態において、カメラプレビューや保存画像表示、メニュー表示、アイコン表示、編集や拡大画面を実行する第１表示部と第２表示部とは、逆の関係にあってもよい。二つのディスプレイをどのような表示関係にするかは、使いやすさ等を考慮して適宜選択し得る。
【００９６】
その他にも、本発明の要旨を外れない範囲において、様々な変形が可能である。通信端末機に特有の移動性に起因した、プロセッサの性能制限、メモリ容量の制限、バッテリーパワーの消費制限、ディスプレイスの画面サイズ制限を考慮した変形があり得る。
【００９７】
たとえば、編集画像を表示するディスプレイの性能（解像度等）やメモリ容量を考慮して、編集画像の保存時のファイルサイズを制限できる（解像度を落とすなど）。また、ディスプレイの制限された画面サイズのために、一画面内に表示するアイコンやサムネイルの数を制限することもできる。
【００９８】
携帯性を考慮してサイズをできるだけ抑えた通信端末機においては、一つのディスプレイスを二つの領域に分けてデュアルディスプレイ方式とした形態も存在し得る。この一ディスプレイによるデュアルディスプレイ方式でも、上記実施形態同様のディスプレイ制御を実行することができる。この場合、撮像装置のリアルタイム画像（ビューファインダ）を一ディスプレイの一方の領域に表示し、且つ選択用の画像（サムネイル表示等）を他方の領域に表示する方式が可能である。また、ディスプレイ数は二つに限らず、三以上のディスプレイを備え、そのいずれかを使用してデュアルディスプレイ機能を実行するものもあり得る。
【００９９】
画像編集は、画像の操作（image manipulation）、画像の変形（image modification）、画像の合成（image composition）等の多様な画像処理（image processing functions）を実行するものとすることができる。また、このような各画像編集は、編集モードにおいてユーザの調整なしに自動的に行うこともできる。また、ビデオ（動画）撮影や再生、アニメーション等のダウンロードや再生なども可能な機種にあっては、動画に適したユーザインタフェースを使用して、上記実施形態同様の制御を実行することも想定可能である。
【０１００】
本発明の前記各特徴は、ハードウェアやソフトウェア、またはその両方を使用して実現することができる。また、通信端末機内蔵に限らず、通信端末機の負担を抑制するために、全部又は一部の上記処理を外付け機器（例えばクレードル）において実現することもできる。また、多様な種類の有線無線インタフェースを外付け機器との通信のために装着することもできる。
【０１０１】
本発明は、前述した実施形態及び添付図面に限定されるものではなく、本発明が属する技術の分野における通常の知識を有する者によれば、本発明の技術的な思想を逸脱しない範囲内で多様に変形及び変更が可能である。
【図面の簡単な説明】
【０１０２】
【図１Ａ】本発明に係る通信端末機における撮像モードの一例を説明したフローチャート。
【図１Ｂ】本発明に係る通信端末機における編集モードの第一の例を説明したフローチャート。
【図２】本発明に係る通信端末機における撮像モード画面の一例を示した図。
【図３】本発明に係る通信端末機における撮像モード画面の他の例を示した図。
【図４】本発明に係る通信端末機における編集モード画面の第一の例を示した図。
【図５】本発明に係る通信端末機における編集モードの第二の例を示したフローチャート。
【図６】本発明に係る通信端末機における編集モード画面の第二の例を示した図。
【図７】本発明に係る通信端末機における編集モードの第三の例を示したフローチャート。
【図８】本発明に係る通信端末機における編集モード画面の第三の例を示した図。
【図９】本発明に係る通信端末機における編集モードの第四の例を示したフローチャート。
【図１０】本発明に係る通信端末機における編集モードの第五の例を示したフローチャート。
【図１１】本発明に係る通信端末機の要部構成を説明したブロック図。
【符号の説明】
【０１０３】
１１００  無線通信モジュール
１１１０  カメラ
１１２０  キー入力部
１１３０  制御部
１１４０  第１表示部
１１５０  第２表示部
１１６０  メモリ
【図１Ａ】
0004461122.tif 000002
【図１Ｂ】
0004461122.tif 000003
【図２】
0004461122.tif 000004
【図３】
0004461122.tif 000005
【図４】
0004461122.tif 000006
【図５】
0004461122.tif 000007
【図６】
0004461122.tif 000008
【図７】
0004461122.tif 000009
【図８】
0004461122.tif 000010
【図９】
0004461122.tif 000011
【図１０】
0004461122.tif 000012
【図１１】
0004461122.tif 000013